【手続補正書】
【提出日】平成26年6月18日(2014.6.18)
【手続補正１】
【補正対象書類名】明細書
【補正対象項目名】全文
【補正方法】変更
【補正の内容】
【発明の詳細な説明】
【発明の名称】炊飯器
【技術分野】
【０００１】
本発明は、時計機能を有する炊飯器に関するものである。
【背景技術】
【０００２】
従来、この種の炊飯器は図３に示すように構成していた。以下、その構成について説明する。
【０００３】
図３に示すように、炊飯の操作を行なう操作部２９と、炊飯器の動作状態や現在時刻を表示する表示部２０と、現在時刻情報の電波を受信する電波受信手段２１と、操作部２９および電波受信手段２１からの各信号を処理し炊飯の動作制御と表示部２０の表示制御を行なうマイコン２２と、現在時刻をカウントする時計２３と、オフ時は制御手段２７の消費電力量がゼロとなる主電源スイッチ２４とを設けている。
【０００４】
ここで、マイコン２２は、現在時刻設定手段を構成しており、電波受信手段２１より現在時刻情報を有する電波を受信することにより、現在時刻を設定するようにしていた（例えば、特許文献１参照）。
【先行技術文献】
【特許文献】
【０００５】
【特許文献１】特開２００５−１６８５５０号公報
【発明の概要】
【発明が解決しようとする課題】
【０００６】
しかしながら、前記従来の構成では、炊飯器が通常設置される場所である台所では、電波を受信する環境としては適していないことが多い。よって、電波が必ず受信できる環境ではなかったため、現在時刻を設定しようとしても、電波受信環境により設定できないことがあるという課題を有していた。
【０００７】
本発明は、前記従来の課題を解決するもので、炊飯器が通常設置される場所である台所
等にあっても、容易に現在時刻を設定できるようにし、タイマー予約炊飯時に確実に希望通りの炊き上がり時刻にご飯を炊き上げることができる炊飯器を提供することを目的とする。
【課題を解決するための手段】
【０００８】
前記従来の課題を解決するために、本発明の炊飯器は、炊飯器本体内に鍋を着脱自在に収納し、鍋を加熱する加熱手段を制御手段により制御するよう構成し、制御手段は、時計と現在時刻設定手段と磁界信号通信手段と操作部とを有し、現在時刻設定手段は現在時刻情報を有する磁界信号を受信することにより現在時刻を設定するようにしたものである。
【発明の効果】
【０００９】
本発明の炊飯器は、使用者が現在時刻を設定したい場合に、制御手段にある磁界信号通信手段に磁界信号を発生させる携帯端末機器等を接触または近づけることにより現在時刻を容易に設定することができる。
【図面の簡単な説明】
【００１０】
【図１】本発明の実施の形態１における炊飯器の上面図
【図２】同炊飯器の断面図
【図３】従来の炊飯器の上面図
【発明を実施するための形態】
【００１１】
第１の発明は、炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段と磁界信号通信手段と操作部とを有し、前記現在時刻設定手段は現在時刻情報を有する磁界信号を受信することにより現在時刻を設定するようにしたものであり、使用者が現在時刻を設定したい場合に、制御手段にある磁界信号通信手段に現在時刻情報を有した磁界信号を受信することにより現在時刻を容易に設定できるようにしたものであり、現在時刻設定用の操作部を有しないので、操作部の煩雑さを解消することができ、タイマー予約炊飯時に確実に希望通りの炊き上がり時刻にご飯を炊き上げることができる。
【００１２】
第２の発明は、上記第１の発明において、現在時刻設定手段は、一定時間毎に現在時刻を設定するようにしたものであり、炊飯器の時計を常に磁界信号からの現在時刻情報と同じ時刻にすることができる。
【００１３】
第３の発明は、上記第１の発明において、表示動作を行う表示部を備え、前記表示部に、時刻設定の動作状態を示す時刻設定表示部を設けたものであり、時刻設定の動作状態を認識することができ、時計の時刻が実際の時刻と合っていることを確認することができる。
【００１４】
第４の発明は、上記第１の発明において、タイマー予約キーと炊飯キーとを備え、前記タイマー予約キーと前記炊飯キーの２つでタイマー予約炊飯の操作を行うようにしたものであり、タイマー予約炊飯用の時刻設定キーを別途設けることなくタイマー予約炊飯を行うことができるので、タイマー予約炊飯時のキー操作の煩雑さを解消することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における炊飯器の上面図、図２は同炊飯器の断面図であ
る。
図２に示すように、炊飯器本体１は、有底筒状の鍋収納部１ａを有し、鍋２を着脱自在に収納する。蓋３はヒンジ軸４により軸支し、開閉自在に炊飯器本体１の上面開口部を覆っている。
【００１７】
鍋２は鍋収納部１ａの底部に設けた加熱手段である底誘導コイル５により誘導加熱される。電源ケーブル８ａを交流電源に接続すると電力が供給され、高周波電力供給部８ｂより底誘導コイル５に高周波電力が供給される。
【００１８】
底センサ６は鍋２の温度を検知し、制御手段７へ信号を送る。制御手段７は底センサ６からの信号により高周波電力供給部８ｂの底誘導コイル５へ供給する通電量を可変し、鍋２の加熱量を制御することで鍋２の温度を適温に制御する。
【００１９】
制御手段７には、図１に示すように、炊飯の操作を行う操作部９と、炊飯器の動作状態や現在時刻を表示する表示部１０と、現在時刻情報の磁界信号を受信する磁界信号通信手段１５と、底センサ６、操作部９および磁界信号通信手段１５からの各信号を処理し炊飯の動作制御と表示部１０の表示制御を行うマイコン１２と、現在時刻をカウントする時計１３と、オフ時は制御手段７の消費電力量がゼロとなる主電源スイッチ１４とを設けている。
【００２０】
ここで、マイコン１２は、現在時刻設定手段を構成しており、磁界信号通信手段１５より現在時刻情報を有する携帯端末機器から磁界信号を受信することにより、現在時刻を設定するようにしている。
【００２１】
磁界信号通信手段１５は例えば通信用コイルを使用したものがあり、携帯端末機器との接触または近傍に近づけることにより磁界による通信を可能にしたものである。
表示部１０には、現在時刻を表示する現在時刻表示部１０ａと時刻設定の動作状態を表示する時刻設定表示部１０ｂとを設けている。操作部９には、炊飯キー９ａとタイマー予約キー９ｂとを設けている。
【００２２】
上記構成において動作を説明する。まず、現在時刻を設定する場合について説明する。交流電源に電源ケーブル８ａを接続すると、マイコン１２は磁界信号通信手段１５を通して磁界信号による現在時刻情報を受信する。
【００２３】
磁界信号による現在時刻情報としては、携帯端末機器が使用している現在時刻がその１つに挙げられ、ユーザーが普段使用している現在時刻となっている。
【００２４】
マイコン１２は磁界信号通信手段１５で受信した現在時刻情報に従ってユーザーが普段使用している現在時刻を認識し、時計１３の時刻をユーザーが普段使用している現在時刻に設定するとともに、現在時刻表示部１０ａにユーザーが普段使用している時刻を表示する。
【００２５】
このようにして、容易に現在時刻が設定され、かつユーザーが普段使用している現在時刻表示が可能となる。
【００２６】
そして、時刻設定の動作中は表示部１０の時刻設定表示部１０ｂに時刻設定の動作中の旨を表示する。これにより、使用者は現在時刻の設定が確実に行われているのを認識でき、表示部１０の現在時刻表示部１０ａの時刻が正しい時刻であることを認識できる。
【００２７】
つぎに、タイマー予約炊飯の動作について説明する。タイマー予約キー９ｂを押すと、
タイマー予約炊飯設定モードとなり、表示部１０の現在時刻表示部１０ａに炊き上がり時刻が表示される。引き続きタイマー予約キー９ｂを押すと、キーを押すたびに炊き上がり時刻が例えば１０分毎に変更される。希望の炊き上がり時刻となった時点で炊飯キー９ａを押すとタイマー予約炊飯を開始する。
【００２８】
マイコン１２が指定した時刻に炊き上がるように所定の時刻に底センサ６よりの鍋２の温度に応じて高周波電力供給部８ｂより供給される高周波電力を制御し、炊飯を行う。マイコン１２は常に正確な時刻を把握しているので、確実に希望した炊き上がり時刻にご飯が炊き上がる。
【００２９】
これにより、従来のような時刻設定キーを必要とせずにタイマー予約炊飯が行えるので、操作するキーの数が減り、タイマー予約炊飯時のキー操作の煩雑さが解消できる。また、電波受信の環境が悪い台所においても設定可能となる。
【００３０】
以上のように、本実施の形態においては、制御手段７は、時計１３と現在時刻設定手段を構成するマイコン１２と磁界信号通信手段１５とを有し、マイコン１２は現在時刻情報を有する携帯端末機器等からの磁界信号を受信することにより現在時刻を設定するようにしたので、使用者が現在時刻を設定したい場合に容易に現在時刻を設定することができ、現在時刻設定用の操作部を有しないので、操作部の煩雑さを解消することができ、タイマー予約炊飯時に確実に希望通りの炊き上がり時刻にご飯を炊き上げることができる。
【００３１】
また、マイコン１２は、一定時間毎に現在時刻を設定するようにしたので、炊飯器の時計を常に現在時刻情報を有した磁界信号と同じ現在時刻にすることができる。
【００３２】
また、表示部１０に、時刻設定の動作状態を示す時刻設定表示部１０ｂを設けたので、時刻設定の動作状態を認識することができ、時計１３の時刻が実際の時刻と合っていることを確認することができる。
【００３３】
また、タイマー予約キー９ｂと炊飯キー９ａの２つでタイマー予約炊飯の操作を行うようにしたので、タイマー予約炊飯用の時刻設定キーを別途設けることなくタイマー予約炊飯を行うことができるので、タイマー予約炊飯時のキー操作の煩雑さを解消することができる。
【産業上の利用可能性】
【００３４】
以上のように、本発明にかかる炊飯器は、使用者が容易に現在時刻を設定することができ、現在時刻情報を有する携帯端末機器等からの磁界信号を常に受信できる状態であれば、使用者が現在時刻の設定をせずとも自動的に現在時刻設定ができ、現在時刻の設定が不要となるとともに、タイマー予約炊飯時に確実に希望通りの炊き上がり時刻にご飯を炊き上げることができるので、時計機能を有する炊飯器の用途に有効である。
【符号の説明】
【００３５】
１  炊飯器本体
２  鍋
５  底誘導コイル（加熱手段）
７，２７  制御手段
１２，２２  マイコン（現在時刻設定手段）
１３，２３  時計
１５  磁界信号通信手段
１０、２０  表示部
１０ｂ  時刻設定表示部
９ａ  炊飯キー
９ｂ  タイマー予約キー
【手続補正２】
【補正対象書類名】特許請求の範囲
【補正対象項目名】全文
【補正方法】変更
【補正の内容】
【特許請求の範囲】
【請求項１】
炊飯器本体と、前記炊飯器本体内に着脱自在に収納される鍋と、前記鍋を加熱する加熱手段と、前記加熱手段を制御する制御手段とを備え、前記制御手段は、時計と現在時刻設定手段と磁界信号通信手段と操作部とを有し、前記現在時刻設定手段は現在時刻情報を有する磁界信号を受信することにより現在時刻を設定するようにした炊飯器。
【請求項２】
現在時刻設定手段は、一定時間毎に現在時刻を設定するようにした請求項１に記載の炊飯器。
【請求項３】
表示動作を行う表示部を備え、前記表示部に、時刻設定の動作状態を示す時刻設定表示部を設けた請求項１に記載の炊飯器。
【請求項４】
タイマー予約キーと炊飯キーとを備え、前記タイマー予約キーと前記炊飯キーの２つでタイマー予約炊飯を行うようにした請求項１に記載の炊飯器。